(57)【要約】【課題】駐車装置内に利用者が入って作業をする場合でも、その利用者の安全を図り、他の利用者に対しては誤操作をさせない安全機構を提供する。【解決手段】本発明の一実施形態に係る制御装置は、パレット、ゲート、パレットおよびゲートを動かすための駆動装置を有する駐車装置を制御する制御装置であって、ゲート開閉指示部、パレット指示部、およびコード受付部を備え、鍵手段によって操作可能となる操作盤と、ゲートの開閉の指示に応じて前記ゲートを開閉させ、ゲートを開ける前にパレットを入出庫口に移動させるように駆動装置を制御し、無効化期間においては当該駆動装置の制御を無効化する制御部と、を備え、無効化期間は、ゲートが閉じてからコードが入力されるまでの期間、および当該ゲートが開いてから当該コードが再び入力されるまでの期間であることを特徴とする。【選択図】図７
2018115547.tif 000002
【特許請求の範囲】
【請求項１】
車両が載置され各々移動可能な複数のパレット、前記車両の入出庫口に設けられたゲート、および前記パレットおよび前記ゲートを動かすための駆動装置を有する駐車装置を制御する制御装置であって、
前記ゲートの開閉を指示するためのゲート開閉指示部、前記入出庫口に移動させる前記パレットを指示するためのパレット指示部、およびコードの入力を受け付けるコード受付部を備え、鍵手段によって操作可能となる操作盤と、
前記ゲートの開閉の指示に応じて前記ゲートを開閉させ、前記ゲートを開ける前に前記指示された前記パレットを前記入出庫口に移動させるように前記駆動装置を制御し、無効化期間においては当該駆動装置の制御を無効化する制御部と、を備え、
前記無効化期間は、前記ゲートが閉じてから前記コードが入力されるまでの期間、および当該ゲートが開いてから当該コードが再び入力されるまでの期間であることを特徴とする制御装置。
【請求項２】
前記無効化期間のうち、少なくとも前記ゲートが開いている期間に所定の報知をする報知部をさらに備えることを特徴とする請求項１に記載の制御装置。
【請求項３】
前記操作盤には、数字入力キーが配置され、
前記コード受付部は、前記数字入力キーによりコードの入力を受け付け、
前記パレット指示部は、前記数字入力キーにより前記パレットを指示することを特徴とする請求項１または請求項２に記載の制御装置。
【請求項４】
前記コード受付部は、無線通信機能を有する装置から無線信号を受信する受信部を備え、当該無線信号に基づく情報を前記コードとして受け付けることを特徴とする請求項１または請求項２に記載の制御装置。
【請求項５】
前記コード受付部は、指紋の画像を取得する指紋取得部を備え、当該画像から得られる情報を前記コードとして受け付けることを特徴とする請求項１または請求項２に記載の制御装置。
【請求項６】
前記制御部は、前記無効化期間のうち前記ゲートが開いているときに、特定のコードの入力が受け付けられると、前記駆動装置の制御の無効化を解除して当該制御を開始することを特徴とする請求項１乃至請求項５のいずれかに記載の制御装置。
【請求項７】
充電ケーブルが着脱される着脱部と、閉じた状態において前記着脱部への前記充電ケーブルの着脱を制限する蓋部材と、前記蓋部材を閉めた状態で施錠する施錠部とを有する充電設備が前記パレットに備えられ、
前記無効化期間は、前記施錠部が解錠されている期間を含むことを特徴とする請求項１乃至請求項６のいずれかに記載の制御装置。
【請求項８】
車両が載置され各々移動可能な複数のパレットと、
前記車両の入出庫口に設けられたゲートと、
前記パレットおよび前記ゲートを動かすための駆動装置と、
請求項１乃至請求項７のいずれかに記載の制御装置と、
を備えることを特徴とする駐車装置。
【発明の詳細な説明】
【技術分野】
【０００１】
本発明は自動車などの車両を駐車するための駐車装置における安全機構に関する。
【背景技術】
【０００２】
パレット上に車両を載置して立体的に積み重ねて駐車させ、当該パレットを入出庫口まで移動させて車両の出し入れを行う駐車装置が知られている（例えば、特許文献１参照）。このような駐車装置は、パレットの操作を入出庫口付近に設けられた操作盤によって行われている。
【０００３】
パレットを操作する操作盤には、駐車装置の電源を投入する電源スイッチ、目的とするパレットを番号で選択する番号入力部、入力された番号を表示する表示部、該当するパレットの移動を開始するスタートボタンなどが設けられている。駐車装置の利用者は操作盤で電源を投入し、番号入力部に目的のパレット番号を入力し、スタートボタンを押すことでそのパレットを入出庫口まで移動させる。パレットに載置された状態で入出庫口まで搬送された車両は、入出庫口の安全ゲートを開いて駐車装置から外へ移動するものとなっている。
【０００４】
パレットの操作は安全のために、利用者が駐車装置の中に入らなくて済むように操作盤が駐車装置の外側に設けられ、通常の利用形態においては外側から全ての操作ができるようになっている。
【０００５】
駐車装置を操作する操作盤には鍵穴の付いたシリンダー式の操作電源スイッチが設けられている。駐車装置の電源は、操作電源スイッチの鍵穴に嵌合する操作キーを差し込み、「切」から「入」にスイッチを回すことで投入される。そして入出庫口の安全ゲートが開いた状態では操作キーが操作電源スイッチから抜き取れないようにソレノイドロック付きの鍵スイッチとされており、操作電源スイッチを「切」の状態にしてはじめて操作キーを抜き取ることができるようになっている。
【先行技術文献】
【特許文献】
【０００６】
【特許文献１】特開２００９−１９１５５８号公報
【発明の概要】
【発明が解決しようとする課題】
【０００７】
駐車装置への車両を入出庫する際には、運転者も駐車装置内に侵入する。この際、駐車装置の電源を入れて入出庫口の安全ゲートを開いた状態では、操作盤に操作キーが差し込まれたままとなっているものの、操作盤付近では無人になることもある。このため安全ゲートを開けて駐車装置内に運転者がいたとしても、後から来た人が何も気付かずに操作盤を操作してパレットを移動させてしまうおそれがある。
【０００８】
また、駐車装置が公共施設や集合住宅等に設置されている場合は、複数の利用者が共用するため、操作キーの抜き忘れや安全ゲートの閉め忘れと勘違いして、駐車装置内に他の利用者がいるにもかかわらず、誤ってパレットを操作してしまうことが考えられる。
【０００９】
最近では、充電式の電動機車両（電気自動車）、商用電源のコンセントから差込プラグを用いてバッテリーに直接充電できる電動機と原動機を組み合わせた複合動力車両（ハイブリッドカー）が導入されつつあり、将来的にも普及することが見込まれている。このため、上記のような立体式駐車装置の利用者においても、駐車装置内で充電作業を行いたいというニーズが拡大するものと予想される。
【００１０】
駐車装置内に駐車された電気自動車等に充電を行うには、利用者が駐車装置に入って充電ケーブルを車両に繋ぐといった作業を行う必要がある。このとき、充電作業中の利用者が車両の陰に隠れてしまい、外から視認しにくくなることが懸念される。そのため、他の利用者が操作キーの抜き忘れや安全ゲートの閉め忘れと勘違いしやすくなることが考えられる。
【００１１】
本発明の目的の一つは、機械式の駐車装置において、駐車装置内に利用者が入って作業をする場合でも、その利用者の安全を図り、他の利用者に対しては誤って駐車装置を操作してしまわないような安全機構を提供することにある。
【課題を解決するための手段】
【００１２】
本発明の一実施形態によると、車両が載置され各々移動可能な複数のパレット、前記車両の入出庫口に設けられたゲート、および前記パレットおよび前記ゲートを動かすための駆動装置を有する駐車装置を制御する制御装置であって、前記ゲートの開閉を指示するためのゲート開閉指示部、前記入出庫口に移動させる前記パレットを指示するためのパレット指示部、およびコードの入力を受け付けるコード受付部を備え、鍵手段によって操作可能となる操作盤と、前記ゲートの開閉の指示に応じて前記ゲートを開閉させ、前記ゲートを開ける前に前記指示された前記パレットを前記入出庫口に移動させるように前記駆動装置を制御し、無効化期間においては当該駆動装置の制御を無効化する制御部と、を備え、前記無効化期間は、前記ゲートが閉じてから前記コードが入力されるまでの期間、および当該ゲートが開いてから当該コードが再び入力されるまでの期間であることを特徴とする制御装置が提供される。
【００１３】
前記無効化期間のうち、少なくとも前記ゲートが開いている期間に所定の報知をする報知部をさらに備えてもよい。
【００１４】
前記操作盤には、数字入力キーが配置され、前記コード受付部は、前記数字入力キーによりコードの入力を受け付け、前記パレット指示部は、前記数字入力キーにより前記パレットを指示してもよい。
【００１５】
前記コード受付部は、無線通信機能を有する装置から無線信号を受信する受信部を備え、当該無線信号に基づく情報を前記コードとして受け付けてもよい。
【００１６】
前記コード受付部は、指紋の画像を取得する指紋取得部を備え、当該画像から得られる情報を前記コードとして受け付けてもよい。
【００１７】
前記制御部は、前記無効化期間のうち前記ゲートが開いているときに、特定のコードの入力が受け付けられると、前記駆動装置の制御の無効化を解除して当該制御を開始してもよい。
【００１８】
充電ケーブルが着脱される着脱部と、閉じた状態において前記着脱部への前記充電ケーブルの着脱を制限する蓋部材と、前記蓋部材を閉めた状態で施錠する施錠部とを有する充電設備が前記パレットに備えられ、前記無効化期間は、前記施錠部が解錠されている期間を含んでもよい。
【００１９】
車両が載置され各々移動可能な複数のパレットと、前記車両の入出庫口に設けられたゲートと、前記パレットおよび前記ゲートを動かすための駆動装置と、上記記載の制御装置と、を備えることを特徴とする駐車装置が提供されてもよい。
【発明の効果】
【００２０】
本発明の一実施形態によれば、機械式の駐車装置において、駐車装置内に利用者が入って作業をする場合でも、その利用者の安全を図り、他の利用者に対しては誤って駐車装置を操作してしまわないような安全機構を提供することができる。
【図面の簡単な説明】
【００２１】
【図１】本発明の一実施形態に係る駐車装置の概略側面図を示す。
【図２】本発明の一実施形態に係る駐車装置操作盤の正面図を示す。
【図３】本発明の一実施形態に係るインターロック操作盤の正面図を示す。
【図４】本発明の一実施形態に係る充電設備の概略斜視図を示す。
【図５】本発明の一実施形態に係る充電設備の概略斜視図を示す。
【図６】本発明の一実施形態に係る充電設備の概略斜視図を示す。
【図７】本発明の一実施形態に係る駐車装置のシステムブロック図を示す。
【図８】本発明の一実施形態に係る駐車装置の動作および利用者の作業を説明するフローチャートを示す。
【発明を実施するための形態】
【００２２】
以下、本発明の一実施形態に係る駐車装置について、図面を参照しながら詳細に説明する。なお、以下に示す実施形態は本発明の実施形態の一例であって、本発明は以下に示す実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率は説明の都合上実際の比率とは異なったり、構成の一部が図面から省略されたりする場合がある。
【００２３】
［駐車装置１００の構成］
図１に本発明の一態様に係る駐車装置１００の主たる構成を示す。図１は駐車装置を側面（入出庫口がある面を正面とする場合）から見た概略図である。
【００２４】
駐車装置１００は支柱１０２によって主構造体が構成され、主構造体の中に車両を載置するパレット１０４が設置されている。パレット１０４は昇降機１０６により支柱１０２に沿って昇降可能に設けられている。また、パレット１０４は車体横方向（図１の紙面奥行き方向）に沿って移動させることが可能になっていてもよい。主構造体の中でパレット１０４は、複数の車両を縦方向に積み重ねたとき、車両同士が干渉しない間隔をもって設けられている。これによって、支柱１０２によって形成される主構造体は、縦方向に複数段に積み重なった駐車空間を形成している。
【００２５】
駐車装置１００は駐車装置操作盤１０８によって操作される。駐車装置操作盤１０８は駐車装置１００の外側に設けられている。例えば、駐車装置１００の入出庫口（図右側下部）の近くの支柱１０２に駐車装置操作盤１０８およびインターロック操作盤１１０が取り付けられている。駐車装置操作盤１０８とインターロック操作盤１１０とが一体の筐体に収められ、一つの操作盤として構成されていてもよい。
【００２６】
利用者は駐車装置１００の外側から駐車装置操作盤１０８を操作して、目的のパレット１０４を入出庫口まで移動させる。また、利用者はインターロック操作盤１１０を操作して後述するインターロックを作動させたり解除したりすることができる。
【００２７】
駐車装置１００の入出庫口に設けられる安全ゲート１１２は駐車装置操作盤１０８により開閉を行うことができる。安全ゲート１１２は車両を入出庫するために開けた場合以外は閉じた状態となっている。したがって、パレット１０４が移動するときも安全ゲート１１２は閉じた状態になっている。安全ゲート１１２が閉じていることにより、通常は駐車装置１００の中に人が入れないようになっている。駐車装置操作盤１０８から出力される信号は制御盤１１４に送られ、制御盤１１４はパレット１０４の移動や安全ゲート１１２の開閉を行う駆動装置に制御信号を出力する。駆動装置には、パレット１０４を移動させるための昇降機１０６等の装置、および安全ゲート１１２を開閉するための装置が含まれる。
【００２８】
パレット１０４には充電設備１１６を設けることが可能である。充電設備１１６には配電盤１１８から電力（例えば単相２００Ｖの電力）が供給される。パレット１０４に充電設備１１６を設けることで電気自動車等の車両を駐車した状態で充電を行うことができる。充電設備１１６が設けられる場合には、図１に示すように、駐車装置１００内にあるパレット１０４の一部について設けられていてもよいし、全部について設けられていてもよい。
【００２９】
縦方向に複数段に積み重なった駐車空間を形成し立体的に車両を収納して駐車させる駐車装置１００では、パレット１０４が昇降することで、目的とするパレット１０４を入出庫口へ移動させて車両の出し入れを行う。目的とするパレット１０４を入出庫口まで移動させる動作にはいくつかの方式があり、例えば上段のパレット１０４に駐車された車両を出庫するために下段のパレット１０４を地下ピットに沈み込ませる方式、下段または上段のパレット１０４を車体横方向（図１の紙面奥行き方向）にスライドさせて上段のパレット１０４を下段のパレット１０４が存在しない空間に降下させる方式、あるいはこれらを組み合わせた方式等が採用されている。
【００３０】
図１で示す例では、１階から上階に向かって駐車空間Ｐ１，Ｐ２，Ｐ３，Ｐ４が設けられている態様を示している。また駐車空間Ｐ１の横方向（図１の紙面奥方向）には駐車空間Ｐ５（図示略）が設けられている。このとき上段にある駐車空間Ｐ４に駐車してあるパレット１０４を降下させ車両を入出庫するには下段の駐車空間Ｐ１，Ｐ２，Ｐ３のパレット１０４が障害となる。この場合、駐車空間Ｐ５のパレット１０４を上昇させ、駐車空間Ｐ１，Ｐ２，Ｐ３のパレット１０４を横方向にスライドさせると障害物がなくなるので、駐車空間Ｐ４のパレット１０４を入出庫口まで降下させることが可能となる。
【００３１】
［駐車装置操作盤１０８］
図２は、駐車装置操作盤１０８の一例を示す。駐車装置操作盤１０８は目的のパレットを入出庫口まで移動させる操作を行う。駐車装置操作盤１０８には操作電源スイッチ１２０、操作部１２２、番号入力部１２６、表示部１２４、非常停止ボタン１２８が設けられている。
【００３２】
駐車装置１００は、操作電源スイッチ１２０を「切」から「入」に回すことで電源が投入される。操作電源スイッチ１２０は駐車装置１００の施錠手段でもあり、この施錠手段に合った操作キーによって施錠が解除され操作が可能となる。鍵手段としては、シリンダー錠に嵌合する鍵、ダイヤル式の鍵、暗証番号式の鍵、磁気カードまたはＩＣカードによる鍵などを適用することが可能である。以下では、鍵手段の一例としてブレードの付いた鍵を用いる場合について例示するものとし、鍵手段を「操作キー」と呼んで説明する。
【００３３】
駐車装置を使用するに当たっては、操作電源スイッチ１２０の鍵穴に操作キーを差し込むことで操作が可能となり、操作キーを「入」に回したときは操作電源スイッチ１２０から操作キーを抜くことができないようになっている。操作電源スイッチ１２０から操作キーを抜くには、「ゲート閉」とし、さらに「切」の位置まで操作キーを回して駐車装置の電源を落としてからでないと抜き取れないようになっている。
【００３４】
操作部１２２は駐車装置の基本的な操作を行う部分である。図２で示すものはその一例であるが、操作部１２２は操作手順ごとに点灯ランプおよび操作ボタンが配列されている。操作電源スイッチ１２０を「切」から「入」に回すことで操作部１２２の「電源キーＳＷ」が点灯する。操作部１２２の「安全確認ボタン」は、駐車装置内に人がいないかどうかを利用者が確認してから利用者によって押されるボタンである。安全ゲート１１２が閉鎖中であれば、このボタンを押すことによりパレット呼び出しを可能な状態に移行させるボタンとなる。安全ゲート１１２が開放されている状態では、パレットの移動はされないようになっている。
【００３５】
操作部１２２の「呼び出し番号入力」はパレットの番号（呼び出し番号）の入力を促す点灯ランプである。そして、操作部１２２の「スタート」は、パレット１０４の入出庫口への移動を開始させ、パレット１０４が入出庫口へ移動したら安全ゲート１１２が開くようにするための操作ボタンである。一方、利用者は、安全ゲート１１２が開放中のときに、操作キーを「ゲート閉」に回した後、「安全確認ボタン」を押すことで安全ゲート１１２を閉鎖することができる。安全ゲート１１２が閉鎖されると、利用者は、操作キーを「切」に回すことができ、その後、操作キーを抜くことができる。
【００３６】
パレット番号は番号入力部１２６で入力をする。番号入力部１２６により入力された番号は表示部１２４に表示される。利用者は番号入力部１２６から入力した番号を表示部１２４で確認することができる。非常停止ボタン１２８は移動中のパレット１０４を緊急停止させたい場合にこのボタンを押すことで停止させることができる。このように、駐車装置操作盤１０８は、ゲートの開閉を指示するためのゲート開閉指示部およびパレット１０４を移動する指示をするためのパレット指示部を備え、鍵手段によって電源が投入されているときに操作可能になっている。利用者は、駐車装置操作盤１０８を用いて駐車装置１００の基本的な操作を行うことができる。
【００３７】
ここで、パレット１０４に設けられた充電設備１１６を使って電気自動車等の車両に充電をする場合には、利用者が駐車装置１００に入って充電ケーブルを当該車両に接続する必要がある。このとき、駐車装置操作盤１０８の操作電源スイッチ１２０に操作キーを差し込んで電源を入れ、安全ゲート１１２を開ける必要がある。駐車装置操作盤１０８の操作キーは、電源投入中または少なくとも安全ゲート開放中は抜き取ることができないので、利用者は操作キーを操作電源スイッチ１２０に差し込んだまま駐車装置１００の中に入って作業をすることになる。
【００３８】
［インターロック操作盤１１０］
他の利用者が操作キーを操作して安全ゲート１１２を閉鎖してしまったりしないように、本実施の形態に係る駐車装置１００にはインターロック機能が付加されている。駐車装置１００に設けられるインターロック操作盤１１０は、駐車装置操作盤１０８の操作を無効化する機能、すなわち制御盤１１４による駆動装置の制御を無効化する機能を有している。図３はインターロック操作盤１１０の一例を示す。
【００３９】
インターロック操作盤１１０には、利用者からのコードの入力を受け付けるコード入力部１３０が設けられている。このコード入力部１３０は、この例では数字入力キーであるが、文字入力が可能になっていてもよい。コード入力部１３０を用いて、利用者が適当なコード（例えば、４桁の数字）を入力すると、このコードが例えばインターロック操作盤１１０に設けられたメモリに記憶される。詳細は後述するが、安全ゲート１１２の開閉が実行される前に、コードが入力されるようになっている。このように、インターロック操作盤１１０は、コードの入力を受け付けるコード受付部を備え、鍵手段によって電源が投入されているときに操作可能になっている。
【００４０】
安全ゲート１１２が閉じているときには、コードの入力がコード入力部１３０に受け付けられるまでの期間（安全ゲート１１２が閉じてからの期間）は、駐車装置操作盤１０８による操作にかかわらず安全ゲート１１２が開けられないように、制御盤１１４による駆動装置の制御が無効化されインターロックが作動した状態になる。コードの入力が受け付けられれば、制御盤１１４による駆動装置の制御の無効化が解除され、駐車装置操作盤１０８への指示に応じてパレット１０４の移動および安全ゲート１１２の開放が行われる。
【００４１】
一方、安全ゲート１１２が開いているときには、コードの入力が再び受け付けられるまでの期間（安全ゲート１１２が開いてからの期間）は、駐車装置操作盤１０８による操作にかかわらず安全ゲート１１２が閉じられないように、制御盤１１４による駆動装置の制御が無効化されインターロックが作動した状態になる。コードの入力が受け付けられれば、制御盤１１４による駆動装置の制御の無効化が解除され、駐車装置操作盤１０８への指示に応じて安全ゲート１１２の閉鎖が行われ、メモリに記憶されたコードがリセットされる。ここでのコードの入力は、安全ゲート１１２を開放する直前に入力されたコードであり、すなわちメモリに記憶されたコードであることを要する。
【００４２】
上述の通り、安全ゲート１１２を開ける際に入力したコードは、利用者が任意に選択したものでよいが、安全ゲート１１２を閉める際に入力するコードが、安全ゲート１１２を開ける際に入力したコード（メモリに記憶されたコード）と同じでないと、インターロックが作動したままとなるため、安全ゲート１１２は閉じられず、開いたままとなる。したがって、パレット１０４も移動されない。なお、制御盤１１４による駆動装置の制御が無効化される場合には、駐車装置操作盤１０８において電源をオフにした場合と同様の状態としてもよい。
【００４３】
ここで、駐車装置操作盤１０８とインターロック操作盤１１０とが一体の操作盤で構成される場合には、コード入力部１３０と、番号入力部１２６とが共通化され、数字入力キーによってパレット番号の入力とコードの入力とが行われてもよい。
【００４４】
なお、制御盤１１４による駆動装置の制御を無効化するために用いられるコードは、利用者がコード入力部１３０のキーを操作して入力する場合に限らない。例えば、無線通信機能を有する装置から無線信号を受信する受信部を、コード入力部１３０の代わりに用いてもよい。この場合、受信部によって受信した無線信号から得られる情報がコードとして受け付けられるようにしてもよい。無線通信機能を有する装置とは、ＲＦＩＤ技術等を用いた非接触短距離通信が可能なカード、携帯電話等である。例えば、これらの装置が電子マネー等に用いられるものであれば、受信する無線信号から、例えば、固有に割り当てられた識別番号、電子マネーの残額等がコードとして用いられてもよい。
【００４５】
また、指紋の画像をセンサ等によって取得する指紋取得部を、代わりに用いてもよい。この場合、利用者の指紋の画像から得られる情報（例えば、画像の特徴量等）がコードとして受け付けられるようにしてもよい。上述したとおり、安全ゲート１１２を開ける際には入力すべきコードは自由に選択可能であるため、どの指の指紋を用いてもよい。安全ゲート１１２を閉める際に同じ指の指紋をコードの入力に用いればよい。
【００４６】
インターロック操作盤１１０には、インターロックが作動している（制御盤１１４による駆動装置の制御が無効化されている）ことを利用者等に知らせるインターロック表示部１３２が設けられている。図３で示すインターロック表示部１３２は、文字によるメッセージが表示されるようになっている。インターロック表示部１３２は駐車装置１００内に人がいることを確認するためのものでもある。もちろん、文字によるメッセージの他に注意を喚起するランプが点灯するものであってもよいし、音声を出力するようにしてもよいし、機械的な動きによるものであってもよいし、あるいはこれらを組み合わせてもよい。すなわち、利用者に対してインターロックが作動していること、あるいはインターロックが作動していないことを利用者に報知する報知部により、駐車装置１００内に人がいることを認識させるようになっていればよい。
【００４７】
また、図３ではインターロック操作盤１１０に操作スイッチ１３０とインターロック表示部１３２を設ける構成を示しているが、インターロック表示部１３２を分離して駐車装置１００の他の場所（利用者の目に付きやすい場所、例えば駐車装置操作盤１０８など）に設けるようにしてもよい。
【００４８】
［充電設備について］
図４から図６は、充電設備１１６の一例を示す。充電設備１１６は箱形の筐体１３４を備えている。箱形の筐体１３４は、少なくとも一部に開口が設けられた箱形の筐体を有している。図４では、上部に開口が設けられた箱形の筐体１３４を示している。箱形の筐体１３４の開口部は、開閉可能な蓋部材１３６により蓋をすることができる構造となっている。箱形の筐体１３４と蓋部材１３６は、樹脂や金属により形成されている。
【００４９】
蓋部材１３６は、箱形の筐体１３４に蝶番により結合されており、倒すことで箱形の筐体１３４に蓋をし、起こすことでこの蓋を開くことができる構造となっている。図４は、蓋部材１３６を起こして蓋を開いた状態が示されている。蓋部材１３６の内側（裏側）には、充電ケーブルを繋ぐコンセント１４０を備えた電源ボックス１３８が取り付けられている。
【００５０】
蓋部材１３６を開けることで、図４に示すように電源ボックス１３８が露出する。電源ボックス１３８には電源線１４２が接続されている。電源線１４２は箱形の筐体１３４の底部から外に引き出され、配電盤に接続されている。なお、電源ボックス１３８は、箱形の筐体１３４の側に設けてもよい。また、充電設備１１６は、箱形でなくてもよく、蓋部材１３６を開けた状態においてコンセント１４０に充電ケーブル１４６の着脱が可能となり、閉じた状態においては着脱を制限するとともに、施錠手段１５０において施錠できる構成になっていればよい。
【００５１】
図５には、蓋部材１３６を開けた状態において、充電ケーブル１４６の一端がコンセント１４０に接続され、さらに充電ケーブル１４６が巻かれて箱形の筐体１３４の内部に収納され、更に充電ケーブル１４６の他端のコネクタ１４８が、切り欠き部１４４から引き出された状態が示されている。
【００５２】
図５に示すように箱形の筐体１３４の切り欠き部１４４に充電ケーブル１４６を通すことで、一端側のコネクタ１４８をコンセント１４０に差し込んで接続した状態で、蓋部材１３６を閉め、充電ケーブル１４６の他端側のコネクタ１４８を箱形の筐体１３４の外部に引き出すことができる。そして、コネクタ１４８が車両側の充電用の接続部に接続されることで、車両への充電が行われる。なお、この状態では充電ケーブル１４６を介した電力の供給が制限され、蓋部材１３６が閉まった状態で施錠手段１５０が施錠された状態のときになってから電力が供給されるようにしてもよい。
【００５３】
蓋部材１３６は、引き起こした際に、垂直にならず、僅かに閉鎖方向に傾く構造とされている。こうすることで、蓋部材１３６を手で支えていないと、蓋部材１３６が重力によって自動的に倒れて閉まる構造とされている。また、蓋部材１３６が勢いよく閉まらないように（倒れないように）蝶番にダンパー（図示省略）を備え、手を離すとゆっくりと蓋部材１３６が閉まる構造とされている。図６は、蓋部材１３６が閉まった状態を示す図である。
【００５４】
充電設備１１６には施錠手段１５０が設けられている。施錠手段１５０は、図６に示すように蓋部材１３６を閉めた状態で、鍵手段によって施錠または解錠できるようになっている。
【００５５】
［駐車装置１００のシステム］
図７はこのような駐車装置１００のシステムブロック図を示す。駐車装置操作盤１０８には操作電源スイッチ１２０、操作部１２２、番号入力部１２６、表示部１２４、および非常停止ボタン１２８が設けられ、入力された操作に応じた操作情報が制御盤１１４に送られる。
【００５６】
インターロック操作盤１１０は、コード入力部１３０、インターロック表示部１３２およびコードを記憶するメモリ１３１が設けられている。コード入力部１３０によりコードが入力されると、メモリ１３１にそのコードが記憶され、コード入力部１３０により再び同じコードが入力されるとメモリ１３１に記憶されていたコードがリセットされる。リセットとは、メモリ１３１から消去されることであってもよいし、予め決められた初期値に書き換えられることであってもよい。メモリ１３１にコードが記憶されているか否か（または初期値であるか）を示すメモリ情報がインターロック操作盤１１０から制御盤１１４に送られる。
【００５７】
なお、メモリ１３１にコードが記憶されたことを示す情報と、メモリ１３１に記憶されたコードと同じコードが入力されたことを示す情報とのいずれかが制御盤１１４に送られるようにしてもよい。これらの情報により、制御盤１１４が駆動装置２００の制御を無効化するかどうかを決定することができる。また、メモリ１３１に記憶されたコードと同じコード以外にも、特定のコードが入力された場合には、メモリ１３１に記憶されたコードと同じコードが入力されたものとして扱われるようにしてもよい。このようにすると、利用者が入力したコードを忘れてしまった場合、インターロックが作動したまま駐車装置１００から利用者が立ち去ってしまった場合等、管理者が利用者に変わってインターロックを解除することもできる。
【００５８】
制御盤１１４は操作情報およびメモリ情報に基づいて駆動装置２００の制御を行う制御部として機能する。この駆動装置２００は、パレット１０４を移動させるための昇降機１０６等の装置、および安全ゲート１１２を開閉させるための装置等が含まれる。
【００５９】
制御盤１１４は、安全ゲート１１２が閉じているときにはメモリ１３１にコードが記憶されていなければ操作情報に基づく駆動装置２００の制御を無効化し、メモリ１３１にコードが記憶されていれば操作情報に基づく駆動装置２００の制御を行う。一方、制御盤１１４は、安全ゲート１１２が開いているときにはメモリ１３１にコードが記憶されていれば操作情報に基づく駆動装置２００の制御を無効化し、メモリ１３１にコードが記憶されていなければ操作情報に基づく駆動装置２００の制御を行う。
【００６０】
このように、駐車装置１００の安全ゲート１１２の開閉、パレット１０４の移動を制御する制御装置は、駐車装置操作盤１０８、インターロック操作盤１１０、および制御盤１１４によって実現される。
【００６１】
［駐車装置の動作フロー］
図８は駐車装置１００の動作および利用者の作業を説明するフローチャートを示す。まず、駐車装置１００を作動させるために、駐車装置操作盤１０８の操作電源スイッチ１２０に操作キーを入れて電源を投入する操作をする（ステップＳ１０１）。そして、入出庫口に呼び出すパレット１０４を指示する操作（パレット番号を入力等）をする（ステップＳ１０３）。ただし、この時点では、コード入力部１３０に対してコードの入力が行われておらず、メモリ１３１にコードが記憶されていない。したがって、制御盤１１４による駆動装置２００の制御が無効化されインターロックが作動している状態であるため、パレット１０４は移動されず、安全ゲート１１２も動かない。
【００６２】
利用者によるコードの入力がコード入力部１３０に受け付けられる（ステップＳ１０５）と、コードがメモリ１３１に記憶される（ステップＳ１０７）。これにより駆動装置２００による制御の無効化が解除され、パレットの移動が始まる（ステップＳ１１１）。指示したパレット１０４が入出庫口まで移動すると、安全ゲート１１２が開く動作をする（ステップＳ１１３）。なお、コードの入力（ステップＳ１０５）がパレット１０４を指示する操作（ステップＳ１０３）よりも先に行われてもよく、その場合には、パレット１０４を指示する操作が行われると、直ちにパレットの移動が始まる（ステップＳ１１１）。
【００６３】
安全ゲート１１２が開くと、再び駆動装置２００による制御が無効化されてインターロックが作動する。そして、インターロック表示部１３２のランプがオンになり、注意喚起の文字が表示される（ステップＳ１１５）。上記までの段階で、駐車装置１００に入って車両の入出庫、充電等の作業を開始することが可能となる（ステップＳ１２１）。
【００６４】
駐車装置１００での作業が終了すると、利用者は安全ゲート１１２を閉める操作を行う（ステップＳ１３１）。ただし、この時点では、コード入力部１３０に対して再度のコードの入力が行われておらず、メモリ１３１にコードが記憶されたままになっている。したがって、制御盤１１４による駆動装置２００の制御が無効化されインターロックが作動している状態であるため、安全ゲート１１２が動かず、閉じる動作が行われない。
【００６５】
利用者によるコードの入力がコード入力部１３０に受け付けられる（ステップＳ１３３）と、このコードがメモリ１３１に記憶されているコードと一致するかどうかの判定が行われる（ステップＳ１３５）。コードが一致しない場合（ステップＳ１３５；Ｎｏ）には、エラー表示が行われる（ステップＳ１３７）。エラー表示は、インターロック表示部１３２に表示されてもよいし、表示部１２４に表示されてもよいし、それ以外の表示手段に表示されてもよい。
【００６６】
入力されたコードがメモリ１３１に記憶されているコードと一致した場合（ステップＳ１３５；Ｙｅｓ）には、メモリ１３１に記憶されたコードがリセット（消去）される（ステップＳ１４１）。これにより駆動装置２００による制御の無効化が解除され、安全ゲート１１２が閉じる動作をする（ステップＳ１４３）。
【００６７】
なお、コードの入力（ステップＳ１３３）が安全ゲート１１２を閉める操作（ステップＳ１３１）よりも先に行われてもよく、その場合には、安全ゲート１１２を閉める操作が行われると、直ちに安全ゲート１１２が閉じる動作が始まる（ステップＳ１４３）。また、コードのリセット（ステップＳ１４１）と安全ゲート１１２が閉じる動作（ステップＳ１４３）とは順番が逆でもよい。
【００６８】
安全ゲート１１２が完全に閉まると、利用者は、電源を切る操作をして操作キーを駐車装置操作盤１０８の操作電源スイッチ１２０から抜いて取り外すことができる（ステップＳ１４５）。
【００６９】
本発明の一実施形態に係る駐車装置１００によれば、インターロック操作盤１１０におけるコード入力部１３０により利用者自身が入力時に決めたコードを用いることで、インターロックを作動させる一方、作動したインターロックを解除するためには、再び同じコードを入力するようになっている。
【００７０】
したがって、インターロックの解除を利用者自身に限定することができ、利用者が駐車装置１００に入って作業している場合でも、他の利用者はこのコードがわからないため、誤って駐車装置操作盤１０８を操作してしまうことを防ぐことができる。これにより、利用者が駐車装置１００の中に立ち入っているときに、他の利用者が駐車装置操作盤１０８を操作しても安全ゲート１１２が閉鎖してしまわないようにすることができ、その結果、パレット１０４が移動することもなくなるので、利用者の安全を確保することができる。
【００７１】
［他の実施形態］
インターロックは、駐車装置内に利用者が入って作業をするときに装置の誤操作を防ぎ、利用者の安全を確保するためのものであるので、作業の対象となる機器に併設してもよい。
【００７２】
例えば、図４から図６で示す充電設備１１６の施錠手段１５０に連動してインターロックが作動するように、インターロック制御部１５２を設けてもよい（図７参照）。インターロック制御部１５２は、施錠手段１５０が解錠され蓋部材１３６を開くことが可能となったときインターロックが作動するようにし、蓋部材１３６が閉じられて施錠手段１５０が施錠されたときインターロックが解除されるようにする信号が出力されるようにする。
【００７３】
これを図７において説明すると、充電設備１１６のインターロック制御部１５２の信号が制御盤１１４に入力されるようになっている（図７において点線で示す経路）。なお、施錠手段１５０が施錠されてから一定時間経過後にインターロックが解錠されるようにしてもよい。
【００７４】
充電設備１１６の施錠手段１５０の解錠操作によって、制御盤１１４による駆動装置の制御を無効化しインターロックが作動するようにしておくと、安全機能を二重に設けることができる。
【００７５】
また、充電設備１１６において充電のための電力が供給されるのは、インターロックが解除された後に制限するようにしてもよい。このようにすれば、利用者は蓋部材１３６を閉めるだけでなく施錠手段１５０を確実に施錠し、また、インターロック操作盤１１０においてインターロックを解除する操作を確実に行うようになるから、インターロックの解除をし忘れて、他の利用者が操作できなくなってしまうことを防止することもできる。
【符号の説明】
【００７６】
１００…駐車装置、１０２…支柱、１０４…パレット、１０６…昇降機、１０８…駐車装置操作盤、１１０…インターロック操作盤、１１２…安全ゲート、１１４…制御盤、１１６…充電設備、１１８…配電盤、１２０…操作電源スイッチ、１２２…操作部、１２４…表示部、１２６…番号入力部、１２８…非常停止ボタン、１３０…コード入力部、１３１…メモリ、１３２…インターロック表示部、１３４…箱形の筐体、１３６…蓋部材、１３８…電源ボックス、１４０…コンセント、１４２…電源線、１４４…切り欠き部、１４６…充電ケーブル、１４８…コネクタ、１５０…施錠手段、１５２…インターロック制御部、２００…駆動装置
【図１】
2018115547.tif 000003
【図２】
2018115547.tif 000004
【図３】
2018115547.tif 000005
【図４】
2018115547.tif 000006
【図５】
2018115547.tif 000007
【図６】
2018115547.tif 000008
【図７】
2018115547.tif 000009
【図８】
2018115547.tif 000010
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
車両が載置され各々移動可能な複数のパレット、前記車両の入出庫口に設けられたゲート、および前記パレットおよび前記ゲートを動かすための駆動装置を有する駐車装置を制御する制御装置であって、
前記ゲートの開閉を指示するためのゲート開閉指示部、前記入出庫口に移動させる前記パレットを指示するためのパレット指示部、およびコードの入力を受け付けるコード受付部を備え、前記駐車装置を動作可能にするための鍵手段によって操作可能となる操作盤と、
前記鍵手段によって前記駐車装置が動作可能になった状態において、前記ゲートの開閉の指示に応じて前記ゲートを開閉させ、前記ゲートを開ける前に前記指示された前記パレットを前記入出庫口に移動させるように前記駆動装置を制御する制御部と、を備え、
前記コード受付部は、前記鍵手段によって前記駐車装置が動作可能になった状態においてコードの入力を受け付け、
前記制御部は、前記コード受付部に任意のコードの入力が受け付けられた後に前記ゲートを開け、前記ゲートを開けた後は当該任意のコードが再び入力されるまで前記ゲートを閉じる指示があったとしても前記ゲートを閉じないように制御することを特徴とする制御装置。
【請求項２】
前記制御部によって前記ゲートが閉じないように制御されている期間に所定の報知をする報知部をさらに備えることを特徴とする請求項１に記載の制御装置。
【請求項３】
前記操作盤には、数字入力キーが配置され、
前記コード受付部は、前記数字入力キーによりコードの入力を受け付け、
前記パレット指示部は、前記数字入力キーにより前記パレットを指示することを特徴とする請求項１または請求項２に記載の制御装置。
【請求項４】
前記コード受付部は、無線通信機能を有する装置から無線信号を受信する受信部を備え、当該無線信号に基づく情報を前記コードとして受け付けることを特徴とする請求項１または請求項２に記載の制御装置。
【請求項５】
前記コード受付部は、指紋の画像を取得する指紋取得部を備え、当該画像から得られる情報を前記コードとして受け付けることを特徴とする請求項１または請求項２に記載の制御装置。
【請求項６】
前記制御部は、前記ゲートが開いているときに、前記コード受付部に特定のコードの入力が受け付けられると、前記ゲートを閉じる指示に応じて前記ゲートを閉じるように制御することを特徴とする請求項１乃至請求項５のいずれかに記載の制御装置。
【請求項７】
充電ケーブルが着脱される着脱部と、閉じた状態において前記着脱部への前記充電ケーブルの着脱を制限する蓋部材と、前記蓋部材を閉めた状態で施錠する施錠部とを有する充電設備が前記パレットに備えられ、
前記制御部は、さらに前記施錠部が解錠されている期間において、前記ゲートを閉じないように制御することを特徴とする請求項１乃至請求項６のいずれかに記載の制御装置。
【請求項８】
車両が載置され各々移動可能な複数のパレットと、
前記車両の入出庫口に設けられたゲートと、
前記パレットおよび前記ゲートを動かすための駆動装置と、
請求項１乃至請求項７のいずれかに記載の制御装置と、
を備えることを特徴とする駐車装置。